(57)【要約】【課題】天板の前端部が利用者の身体に接触した際の違和感を抑えつつ、生産性が良好な天板昇降式什器を提供する。【解決手段】天板昇降式什器１００は、上下方向に伸縮可能な脚体と、脚体に支持された上部構造体と、を備え、上部構造体は、上面に作業面３１ｕを有する天板３１と、天板３１の下部に配置され、天板３１に接合された補助部材３６と、を有し、天板３１は、利用者が対向する前端部に、前方に向かうにしたがって次第に下方に傾斜する上部傾斜面３１ａを有し、補助部材３６は、前端部に、後方に向かうにしたがって次第に下方に傾斜する下部傾斜面３６ｂを有することを特徴とする。【選択図】図３
2018068947.tif 000002
【特許請求の範囲】
【請求項１】
上下方向に伸縮可能な脚体と、
該脚体に支持された上部構造体と、を備え、
前記上部構造体は、
上面に作業面を有する天板と、
該天板の下部に配置され、該天板に接合された補助部材と、を有し、
前記天板は、利用者が対向する前端部に、前方に向かうにしたがって次第に下方に傾斜する上部傾斜面を有し、
前記補助部材は、前端部に、後方に向かうにしたがって次第に下方に傾斜する下部傾斜面を有することを特徴とする天板昇降式什器。
【請求項２】
前記下部傾斜面は、平面状に形成されていることを特徴とする請求項１に記載の天板昇降式什器。
【請求項３】
前記補助部材は、前記天板の前記前端部にのみ設けられていることを特徴とする請求項１または２に記載の天板昇降式什器。
【請求項４】
前記天板の前記作業面及び前記上部傾斜面は、連続して形成されていることを特徴とする請求項１から３のいずれか一項に記載の天板昇降式什器。
【請求項５】
前記上部構造体は、前記天板の下部に設けられ、該天板の下方に配置された位置から天板の前端部よりも前方に突出した位置まで前後方向に移動可能な引き出しを有し、
該引き出しが前記天板の下方に配置された位置では、前記引き出しの前端部は、前記下部傾斜面と同一面上に配置されていることを特徴とする請求項１から４のいずれか一項に記載の天板昇降式什器。
【請求項６】
前記上部構造体は、前記天板の左右方向の両端部に設けられた支持する側板を有し、
該側板の前端部は、前記上部傾斜面及び前記下部傾斜面に沿った形状をなすことを特徴とする請求項１から５のいずれか一項に記載の天板昇降式什器。
【発明の詳細な説明】
【技術分野】
【０００１】
本発明は、天板昇降式什器に関する。
【背景技術】
【０００２】
執務空間においては、執務者に作業エリアを提供するためにデスクが配置されていることが一般的である。このようなデスクにおいて、作業のし易い天板高さは、執務者の体格や性別、嗜好、作業内容等によって個々によって大きく異なる。そこで、天板高さを上下に変更可能とした天板昇降式什器が知られている。
【０００３】
例えば、天板において、執務者が対向する前端部の上部に、前方に向かうにしたがって次第に下方に傾斜する上部傾斜部が形成されるとともに、前端部の下部に、後方に向かうにしたがって次第に下方に傾斜する下部傾斜部が形成されたものが提案されている。これにより、執務者の腕や胴などが、天板の前端部に食い込むのが抑制される構成である（下記の特許文献１参照）。
【先行技術文献】
【特許文献】
【０００４】
【特許文献１】特開２０１６−８７０２５号公報
【発明の概要】
【発明が解決しようとする課題】
【０００５】
ところで、執務者が椅子に着座せずに立って作業している際に、什器に寄りかかるように腕を天板の上に置くと、腕が天板の前端部に接触する。また、椅子に着座している場合には、下肢が天板の下方に入り込むとともに胴体が天板の前端部から前方に離間するような姿勢をとるが、着座せずに立っている際には、鉛直方向に沿って立つか天板側に寄りかかるように立つため、胴体が天板の前端部により近接しやすい。上記の特許文献１に記載の天板昇降式什器では、天板の厚みが薄くて、上部傾斜部及び下部傾斜部の傾斜角等により天板の前端部が尖っている等の場合には、上記のように執務者の腕や胴体等の身体が天板の前端部に接触して、違和感を感じる可能性がある。また、天板の材料等によっては、天板を厚くして、一の材料や原板から上部傾斜部及び下部傾斜部を加工することが難しい場合がある。
【０００６】
本発明は、上記事情に鑑みてなされたものであり、天板の前端部が利用者の身体に接触した際の違和感を抑えつつ、生産性が良好な天板昇降式什器を提供するものである。
【課題を解決するための手段】
【０００７】
本発明は、上記課題を解決するため、以下の手段を採用する。
すなわち、本発明に係る天板昇降式什器は、上下方向に伸縮可能な脚体と、該脚体に支持された上部構造体と、を備え、前記上部構造体は、上面に作業面を有する天板と、該天板の下部に配置され、該天板に接合された補助部材と、を有し、前記天板は、利用者が対向する前端部に、前方に向かうにしたがって次第に下方に傾斜する上部傾斜面を有し、前記補助部材は、前端部に、後方に向かうにしたがって次第に下方に傾斜する下部傾斜面を有することを特徴とする。
【０００８】
このように構成された天板昇降式什器では、上部構造体の前端部において、天板では前方に向かうにしたがって次第に下方に傾斜する上部傾斜面が形成され、天板の下部に配置された補助部材では後方に向かうにしたがって次第に下方に傾斜する下部傾斜面が形成されている。よって、例えば、天板の前端部が直角に形成されている場合等と比較して、利用者の胴や腕等の身体が上部構造体の前端部に接触した際に、前端部が身体に食い込むことが抑制され、違和感が抑えられる。
また、天板と補助部材とは、天板には上部傾斜面を形成し、補助部材には下部傾斜面を形成することで、上部に上部傾斜面を有するとともに下部に下部傾斜面を有する上部構造体が形成される。つまり、別々（天板、補助部材）の部材に、それぞれ上部傾斜面、下部傾斜面を形成して互いに接合すればよいため、天板と補助部材とが天板等の一部材で形成される場合に比較して、加工がしやすく、生産性が良い。また、天板と補助部材とは別部材であるため、上部構造体が木材で構成されている場合でも、木材の調達事情等によらず、上部構造体の厚みを厚くすることができる。
【０００９】
また、本発明に係る天板昇降式什器では、前記下部傾斜面は、平面状に形成されていることが好ましい。
【００１０】
このように構成された天板昇降式什器では、下部傾斜面は後方に向かうにしたがって次第に下方に傾斜する平面状に形成されている。よって、下部傾斜面が下方に膨らむように形成されるよりも、利用者との接触面積を抑えることができる。さらに、下部傾斜面が湾曲面状に形成される場合等よりも、加工がしやすい。
【００１１】
また、本発明に係る天板昇降式什器では、前記補助部材は、前記天板の前記前端部にのみ設けられていてもよい。
【００１２】
このように構成された天板昇降式什器では、補助部材は天板の前端部にのみ設けられているため、補助部材を天板全体に設ける場合よりも材料の量を抑えることができる。
【００１３】
また、本発明に係る天板昇降式什器では、前記天板の前記作業面及び前記上部傾斜面は、連続して形成されていてもよい。
【００１４】
このように構成された天板昇降式什器では、天板の作業面及び上部傾斜面は連続して形成されているため、天板の外表面が滑らかになる。
【００１５】
また、本発明に係る天板昇降式什器では、前記上部構造体は、前記天板の下部に設けられ、該天板の下方に配置された位置から天板の前端部よりも前方に突出した位置まで前後方向に移動可能な引き出しを有し、該引き出しが前記天板の下方に配置された位置では、前記引き出しの前端部は、前記下部傾斜面と同一面上に配置されていてもよい。
【００１６】
このように構成された天板昇降式什器では、引き出しが天板の下方に配置された位置では、引き出しの前端部は下部傾斜面と同一面上に配置されているため、補助部材及び引き出しの前端部が連続した面を形成し、納まりが良く、外観を良好とすることができる。
【００１７】
また、本発明に係る天板昇降式什器では、前記上部構造体は、前記天板の左右方向の両端部に設けられた側板を有し、該側板の前端部は、前記上部傾斜面及び前記下部傾斜面に沿った形状をなしてもよい。
【００１８】
このように構成された天板昇降式什器では、天板の左右方向の両端部に設けられた側板の前端部は上部傾斜面及び下部傾斜面に沿った形状をなすため、天板、補助部材及び側板の前端部の外観を良好とすることができる。
【発明の効果】
【００１９】
本発明に係る天板昇降式什器によれば、天板の前端部が利用者の身体に接触した際の違和感を抑えつつ、生産性が良い。
【図面の簡単な説明】
【００２０】
【図１】本発明の一実施形態に係る天板昇降式什器の全体構成を示す斜視図である。
【図２】本発明の一実施形態に係る天板昇降式什器の脚体が伸縮可能する様子を示す側面図である。
【図３】図１のＡ−Ａ断面図である。
【図４】図１のＢ−Ｂ断面図である。
【図５】本発明の一実施形態の変形例に係る天板昇降式什器の全体構成を示す斜視図である。
【発明を実施するための形態】
【００２１】
以下、添付図面を参照して、本発明に係る天板昇降式什器を実施するための形態を説明する。しかし、本発明はこの実施形態のみに限定されるものではない。
【００２２】
図１は、本発明の一実施形態に係る天板昇降式什器の全体構成を示す斜視図である。図２は、本発明の一実施形態に係る天板昇降式什器の脚体が伸縮する様子を示す側面図である。
図１及び図２に示すように、天板昇降式デスク（天板昇降式什器）１００は、一対の脚体１と、これら一対の脚体１間を連結する連結部材２（図３参照）と、脚体１に支持された上部構造体３と、を備えている。
以下の説明において、便宜上、利用者が天板昇降式に向かう側を「前方」と称し、反対側を「後方」と称する。また、これら前方と後方とを結ぶ前後方向と直交し水平方向に沿う方向を「幅方向」（左右方向）と称する。
【００２３】
脚体１は、上部構造体３の幅方向に間隔を有して配置されている。脚体１は床面Ｆ上に設置されたベース部材１１と、ベース部材１１から起立して上方に延び、上部構造体３を支持する脚部材１２と、を備えている。
【００２４】
ベース部材１１は、例えば前後方向に長い長方形状をなしている。ベース部材１１の前後両端部の下面には、それぞれアジャスター１１ａが設けられ、床面Ｆからの高さ調整が可能となっている。
【００２５】
脚部材１２は、ベース部材１１に固定された下部支持体１２ａと、下部支持体１２ａ内から上下方向に昇降可能に収容された中間支持体１２ｂと、中間支持体１２ｂ内から上下方向に昇降可能に収容された上部支持体１２ｃと、を有している。上部支持体１２ｃの上端部に上部構造体３が支持されている。
【００２６】
これら下部支持体１２ａ、中間支持体１２ｂ及び上部支持体１２ｃは、例えば四角形筒状に形成されているが、円筒状等でもよく、水平断面形状は任意の筒状でよい。下部支持体１２ａに対して中間支持体１２ｂ及び上部支持体１２ｃがそれぞれ上下方向に出没することで脚部材１２の上下方向長さを調整することができる。
【００２７】
なお、本実施形態では、下部支持体１２ａに対して中間支持体１２ｂと上部支持体１２ｃとを上下方向に出没可能に配設したが、上部構造体３を上下動させるには少なくとも下部支持体１２ａと上部支持体１２ｃとを備えていればよい。または、中間支持体１２ｂを複数設けて互いに出没可能としてもよい。
【００２８】
上部構造体３は、脚体１に支持された天板体３０と、引き出し４０と、天板体３０の幅方向の両端部に設けられた側板パネル（側板）５０と、側板パネル５０間に架設された棚板６０と、を有している。
【００２９】
天板体３０は、脚体１の上部支持体１２ｃ及び連結部材２の上面に支持されて設けられている。天板体３０は、上部支持体１２ｃ及び連結部材２に、溶接またはボルト等によって接合されている。天板体３０は、幅方向に長い平面視長方形状をなしている。
【００３０】
図３は、図１のＡ−Ａ断面図である。
図１及び図３に示すように、天板体３０は、水平面に沿って板状に配置された天板３１と、天板３１の前端部の下部に設けられた下部補助部材（補助部材）３６と、を有している。天板３１と下部補助部材３６とは、接合され、一体とされている。
【００３１】
図３に示すように、天板３１の上面には、水平面に沿う作業面３１ｕが形成されている。天板３１の前端部は、作業面に連続した上部湾曲面（上部傾斜面）３１ａと、上部湾曲面３１ａに連続した下部湾曲面３１ｂと、を有している。
【００３２】
上部湾曲面３１ａは、前方に向かうにしたがって次第に下方に湾曲するように形成されている。下部湾曲面３１ｂは、上部湾曲面３１ａの前端部且つ下端部から連続して、後方に向かうにしたがって次第に下方に湾曲するように形成されている。下部湾曲面３１ｂの上下方向の長さは、上部湾曲面３１ａの上下方向の長さに比べて随分短い。
【００３３】
下部補助部材３６は、接合面３６ａと、下部傾斜平面（下部傾斜面）３６ｂと、下端面３６ｃと、鉛直面３６ｄと、を有している。
【００３４】
接合面３６ａは、水平面に沿い、天板３１の下面３１ｃに接合されている。下部傾斜平面３６ｂは、接合面３６ａの前端部に接続され、後方に向かうにしたがって次第に下方に傾斜し、且つ平面状に形成されている。
【００３５】
下端面３６ｃは、下部傾斜平面３６ｂの下端部に接続され、下部傾斜平面３６ｂと反対側に配置されている。鉛直面３６ｄは、下端面３６ｃの後端部と接合面３６ａの後端部とを連結している。
【００３６】
下部傾斜平面３６ｂは、天板３１の下部湾曲面３１ｂの下端部に接続されている。つまり、天板３１の作業面３１ｕ、上部湾曲面３１ａ及び下部湾曲面３１ｂは連続し、下部補助部材３６の下部傾斜平面３６ｂは下部湾曲面３１ｂに接続されている。
【００３７】
本実施形態では、天板３１及び下部補助部材３６は、それぞれ木材により構成されていて、天板３１の下面３１ｃに下部補助部材３６の接合面３６ａが接着剤等により接合されている。
【００３８】
下部補助部材３６は、天板３１の左右両側に設けられている。換言すると、天板３１において、左右方向の中央には、下部補助部材３６が設けられていない。下部補助部材３６が設けられていない左右方向の中央には、引き出し４０が設けられている。
【００３９】
図４は、図１のＢ−Ｂ断面図である。
図１及び図４に示すように、引き出し４０は、矩形状に形成された底板４１と、底板４１の左右方向両端部から起立する側板４２と、底板４１の前端部から起立する前部板４３と、底板４１の後端部から起立する後部板４４と、を有している。
【００４０】
前部板４３は、下部補助部材３６の下部傾斜平面３６ｂと同一の形状をなす前端面４３ｂを有している。つまり前部板４３の前端面４３ｂは、後方に向かうにしたがって次第に下方に傾斜し、且つ平面状に形成されている。
【００４１】
例えば、天板３１の下面３１ｃには、引き出し４０の側板４２に沿って配置された引き出し支持部（不図示）が設けられ、当該引き出し支持部に前後方向に延びるレール（不図示）が設けられている。引き出し４０は、レールに沿って、天板３１に対して前後方向に移動可能、つまり天板３１の下方に収容された位置から、天板３１の下方から前方に突出した位置に移動可能とされている。
【００４２】
引き出し４０は天板３１の下方に収容された状態（図４参照）で、引き出し４０の前部板４３の前端面４３ｂは、下部補助部材３６の下部傾斜平面３６ｂ（図３参照）と同一面上に配置されている。
【００４３】
図１に示すように、天板体３０の左右方向両端部には、側板パネル５０が設けられている。側板パネル５０は、前側に配置された前側板部５１と、前側板部５１に連続して前側板部５１よりも後方に配置された後側板部５２と、を有している。前側板部５１の高さは、後側板部５２の高さよりも低い。
【００４４】
側板パネル５０の前側板部５１の上端面５１ｕは、天板３１の作業面３１ｕよりもわずかに一段高く形成されている。前側板部５１の前端面５１ｆは、天板３１の上部湾曲面３１ａ、下部湾曲面３１ｂ及び下部補助部材３６の下部傾斜平面３６ｂ（図３参照）に沿った形状をなし、天板３１の上部湾曲面３１ａ、下部湾曲面３１ｂ及び下部補助部材３６の下部傾斜平面３６ｂよりわずかに一段前方に突出している。
【００４５】
左右方向に離間して配置された側板パネル５０間には、上面が載置面とされた棚板６０が架設されている。
【００４６】
例えば、棚板６０の左右両端部及び天板３１の左右両端部に設けられたダボが側板パネル５０に設けられたダボ穴に挿通されて、棚板６０及び天板３１は側板パネル５０に固定されている。
【００４７】
左右方向に離間して配置された側板パネル５０間には、前後方向及び鉛直面に沿う仕切りパネル５６が左右方向に離間して一対設けられている。
【００４８】
例えば、仕切りパネル５６の下端部は、天板３１に接着等により接合されている。仕切りパネル５６の上端部に設けられたダボが棚板６０の下面に設けられたダボ穴に挿通されて、仕切りパネル５６は棚板６０に固定されている。
【００４９】
側板パネル５０と仕切りパネル５６との間において、天板３１の作業面３１ｕにはトレイ６１が載置されている。
【００５０】
側板パネル５０と仕切りパネル５６との間において、棚板６０の前端部の下部には、支持板６３が設けられている。例えば、側板パネル５０及び仕切りパネル５６に設けられたダボが支持板６３の端面に設けられたダボ穴に挿通されて、支持板６３は側板パネル５０と仕切りパネル５６との間に固定されている。なお、さらに支持板６３の上端部が棚板６０の下面に固定される構成であってもよい。支持板６３には、後述するコンセント６４や操作部６５が設けられている。
【００５１】
図３に示すように、天板３１の後端部には、背面板６６Ａが設けられている。図４に示すように、天板３１の幅方向の中央では、天板３１の後部に、目隠し板６６Ｂが設けられている。
【００５２】
さらに、天板昇降式デスク１００は、中間支持体１２ｂ及び上部支持体１２ｃを昇降動作させる駆動モータ（不図示）と、中間支持体１２ｂ及び上部支持体１２ｃの昇降動作を制御する公知の制御ユニット（不図示）と、制御ユニットに昇降動作信号を入力するための操作部６５と、を備えている。
【００５３】
制御ユニットは、例えば、天板３１の下面３１ｃに固定された配線ダクト６７（図３参照）に載置されている。制御ユニットは、操作部６５及び外部電源に配線ケーブルＣで接続されている。制御ユニットと外部電源とを接続する配線ケーブルＣは、脚部材１２に沿って配置されたカバー部材６８の内部に配置されている。
【００５４】
利用者が操作部６５に対して所定の操作を入力すると、操作部６５から配線ケーブルを介し、制御ユニットに操作信号が送信される。制御ユニットは、操作部６５から操作信号を受信すると、受信した信号に基づいて脚部材１２に昇降動作を実行させる指令信号を出力する。各脚部材１２は、指令信号を受信すると、その指令信号に応じて、駆動モータが駆動し、中間支持体１２ｂ及び上部支持体１２ｃを昇降動作、天板体３０の高さの調整がされる。
【００５５】
このように構成された天板昇降式デスク１００では、上部構造体３の前端部において、天板３１では前方に向かうにしたがって次第に下方に傾斜する上部湾曲面３１ａが形成され、天板３１の下側の下部補助部材３６では後方に向かうにしたがって次第に下方に傾斜する下部傾斜平面３６ｂが形成されている。よって、例えば、天板の前端部の上端部や下端部等が直角に形成されている場合等と比較して、利用者の胴や腕等の身体が上部構造体３の前端部に接触した際に、前端部が身体に食い込むことが抑制され、違和感が抑えられる。
【００５６】
また、天板３１には上部湾曲面３１ａを形成し、下部補助部材３６には下部傾斜平面３６ｂを形成して、天板３１と下部補助部材３６とを接合することで、上部に上部湾曲面３１ａを有するとともに下部に下部傾斜平面３６ｂを有する上部構造体３が形成される。つまり、別々（天板３１、下部補助部材３６）の部材に、それぞれ上部湾曲面３１ａ、下部傾斜平面３６ｂを形成して互いに接合すればよいため、天板３１と下部補助部材３６とが天板等の一部材で形成される場合に比較して、加工がしやすく、生産性が良い。また、天板３１と下部補助部材３６とは別部材であるため、上部構造体３が木材で構成されている場合でも、薄い天板３１を利用して、前端部の厚みを厚くした上部構造体３を形成することができる。
【００５７】
また、下部傾斜平面３６ｂは後方に向かうにしたがって次第に下方に傾斜する平面状に形成されている。よって、下部傾斜平面３６ｂが下方に膨らむように形成されるよりも、利用者との接触面積を抑えることができる。さらに、下部傾斜平面３６ｂが湾曲面状に形成される場合等よりも、加工がしやすい。
【００５８】
また、下部補助部材３６は天板３１の前端部にのみ設けられているため、下部補助部材３６を天板３１全体に設ける場合よりも材料の量を抑えることができる。
【００５９】
また、天板３１の作業面３１ｕ、上部湾曲面３１ａ及び下部湾曲面３１ｂは連続し、下部傾斜平面３６ｂは下部湾曲面３１ｂに接続されているため、天板３１の外表面が滑らかになる。
【００６０】
また、引き出し４０が天板３１の下方に配置された位置では、引き出し４０の前端面４３ｂは下部傾斜平面３６ｂと同一面上に配置されているため、下部補助部材３６及び引き出し４０の前端部が連続した面を形成し、納まりが良く、外観を良好とすることができる。
【００６１】
また、天板３１の左右方向の両端部に設けられた側板パネル５０の前端面５１ｆは上部湾曲面３１ａ及び下部傾斜平面３６ｂに沿った形状をなすため、天板３１、下部補助部材３６及び側板４２の前端部の外観を良好とすることができる。
【００６２】
（変形例）
なお、本発明は、図面を参照して説明した上述の実施形態に限定されるものではなく、その技術的範囲において様々な変形例が考えられる。
以下、本発明の一実施形態の変形例に係る天板昇降式什器について、主に図５を参照して説明する。本変形例において、上述した実施形態で説明した部品や部材等と同一または同様なものについては、同一の符号を用いて説明する。
図５は、本発明の一実施形態の変形例に係る天板昇降式什器の全体構成を示す斜視図である。
図５に示すように、天板昇降式デスク２００は、棚板６０、仕切り板５６及びトレイ６１を備えていない。側板パネル２５０は、左右方向から見て、前後方向に長い略長方形状をなしている。側板パネル２５０の上端面２５０ｕは、天板３１の作業面３１ｕよりもわずかに一段高く形成されている。側板パネル２５０の前端面５１ｆは、天板３１の上部湾曲面３１ａ、下部湾曲面３１ｂ及び下部補助部材３６の下部傾斜平面３６ｂに沿った形状をなし、天板３１の上部湾曲面３１ａ、下部湾曲面３１ｂ及び下部補助部材３６の下部傾斜平面３６ｂわずかに一段前方に突出している。操作部６５は、下部補助部材３６の下部傾斜平面３６ｂに設けられている。
【００６３】
また、補助部材の下部傾斜面は平面状に形成されているが本発明はこれに限られず、湾曲面により形成されていてもよい。
【００６４】
また、下部傾斜平面が下部湾曲面に連続して、天板の前端部から補助部材の前端部にわたって滑らかな曲面状をなすように形成されていてもよい。
【００６５】
また、天板昇降式デスク１００は、天板３１が昇降可能であれば、例えば脚体１の構成、配置、設置本数等、他のいかなる構成としても良い。
【００６６】
また、駆動モータの構成についても、天板３１を昇降可能とするのであれば、他のいかなる構成としても良い。
これ以外にも、本発明の主旨を逸脱しない限り、上記実施の形態で挙げた構成を取捨選択したり、他の構成に適宜変更したりすることが可能である。
【符号の説明】
【００６７】
１００…天板昇降式デスク（天板昇降式什器）
１…脚体
１１…ベース部材
１２…脚部材
１２ａ…下部支持体
１２ｂ…中間支持体
１２ｃ…上部支持体
２…連結部材
３…上部構造体
３０…天板体
３１…天板
３１ａ…上部湾曲面（上部傾斜面）
３１ｂ…下部湾曲面
３６…下部補助部材（補助部材）
３６ａ…接合面
３６ｂ…下部傾斜平面（下部傾斜面）
４０…引き出し
４３…前部板
５０…側板パネル（側板）
６０…棚板
６１…トレイ
Ｆ…床面
【図１】
2018068947.tif 000003
【図２】
2018068947.tif 000004
【図３】
2018068947.tif 000005
【図４】
2018068947.tif 000006
【図５】
2018068947.tif 000007